(57)【要約】【課題】遮断対処を一括して解除することができる火災受信機を提供する。【解決手段】火災感知器と、端末機器との対応関係が登録されている連動データベースと、連動データベースに基づき、端末機器に制御信号を出力する送受信部２２と、制御信号の出力が遮断される端末機器が登録される遮断データベースと、を備えた火災受信機において、所定の条件によって選択された複数の端末機器を遮断データベースに登録する遮断対象設定部４３と、遮断データベースに設定された端末機器を遮断データベースから一括して削除する遮断対象一括処理部４４とを備えたものである。【選択図】図２
2014016682.tif 000002
【特許請求の範囲】
【請求項１】
火災感知器と、該火災感知器の火災発報に連動して動作する複数の端末機器とが接続され、
前記火災感知器と、前記端末機器との対応関係が登録されている連動データベースと、
前記連動データベースに基づき、前記端末機器に制御信号を出力する送受信部と、
前記制御信号の出力が遮断される端末機器が登録される遮断データベースと、
を備えた火災受信機において、
所定の条件によって選択された複数の端末機器を遮断データベースに登録する遮断対象設定部と、
前記遮断データベースに設定された前記端末機器を遮断データベースから一括して削除する遮断対象一括処理部と
を備えた
ことを特徴とする火災受信機。
【請求項２】
操作部を備え、
前記遮断対象一括処理部は、
前記複数の端末機器の系統、警戒区域、及び種別の何れか１つに基づいて、前記遮断対象が設定された場合であって、
前記操作部によって前記遮断対象を解除する操作が入力され、該遮断対象が同一の前記系統の中で設定されたものであるとき、該系統に該当する遮断対象を削除し、該遮断対象を解除し、
前記操作部によって前記遮断対象を解除する操作が入力され、該遮断対象が同一の前記警戒区域の中で設定されたものであるとき、該警戒区域に該当する遮断対象を削除し、該遮断対象を解除し、
前記操作部によって前記遮断対象を解除する操作が入力され、該遮断対象が同一の前記種別の中で設定されたものであるとき、該種別に該当する遮断対象を削除し、該遮断対象を解除する
ことを特徴とする請求項１に記載の火災受信機。
【発明の詳細な説明】
【技術分野】
【０００１】
本発明は、火災受信機に関する。
【背景技術】
【０００２】
従来の火災受信機は、特定の火災感知器等の端末機器からの情報による処理を行わない、また特定の端末機器への制御を行わないようにするための遮断機能を備えている。遮断機能は、例えば火災報知設備の施工中、多数の端末機器が火災受信機に未接続である場合に、その故障信号を火災受信機で警報しないように使用される。また、遮断機能は、火災感知器の点検をするときに、点検した火災感知器の火災信号で防火戸等を連動させないように使用される。
従来の火災受信機は、実運用状態にする際には、全ての端末機器に対する制御命令を有効とするために、全ての端末機器の遮断状態を個々に解除している（例えば、特許文献１参照）。
【先行技術文献】
【特許文献】
【０００３】
【特許文献１】特開２０１０−２３１７１５号公報（段落［０００５］）
【発明の概要】
【発明が解決しようとする課題】
【０００４】
しかしながら、全ての端末機器の遮断状態を解除する際、作業者は、例えば上位階層の種別代表スイッチを操作し、下位階層の画面を表示させ、それぞれの遮断スイッチを操作し、個々に遮断を解除していた。
このため、端末機器の遮断状態の解除作業は、作業者にとって手間がかかるものであり、作業者に非効率な作業を強いていた。
【０００５】
本発明は、端末機器の遮断状態の解除作業時、作業者に効率よく作業させることができる火災受信機を提供することを目的とするものである。
【課題を解決するための手段】
【０００６】
本発明の火災受信機は、火災感知器と、該火災感知器の火災発報に連動して動作する複数の端末機器とが接続され、前記火災感知器と、前記端末機器との対応関係が登録されている連動データベースと、前記連動データベースに基づき、前記端末機器に制御信号を出力する送受信部と、前記制御信号の出力が遮断される端末機器が登録される遮断データベースと、を備えた火災受信機において、所定の条件によって選択された複数の端末機器を遮断データベースに登録する遮断対象設定部と、前記遮断データベースに設定された前記端末機器を遮断データベースから一括して削除する遮断対象一括処理部とを備えたものである。
【０００７】
また、本発明の火災受信機においては、操作部を備え、前記遮断対象一括処理部は、前記複数の端末機器の系統、警戒区域、及び種別の何れか１つに基づいて、前記遮断対象が設定された場合であって、前記操作部によって前記遮断対象を解除する操作が入力され、該遮断対象が同一の前記系統の中で設定されたものであるとき、該系統に該当する遮断対象を削除し、該遮断対象を解除し、前記操作部によって前記遮断対象を解除する操作が入力され、該遮断対象が同一の前記警戒区域の中で設定されたものであるとき、該警戒区域に該当する遮断対象を削除し、該遮断対象を解除し、前記操作部によって前記遮断対象を解除する操作が入力され、該遮断対象が同一の前記種別の中で設定されたものであるとき、該種別に該当する遮断対象を削除し、該遮断対象を解除するものである。
【発明の効果】
【０００８】
本発明は、複数の端末機器の遮断状態を一括で解除させることにより、端末機器の遮断状態の解除作業時、作業者に効率よく作業させることができるという効果を有する。
【図面の簡単な説明】
【０００９】
【図１】本発明の実施の形態１における火災受信機ＦＡを含む火災報知設備の全体構成の一例を示す図である。
【図２】本発明の実施の形態１における火災受信機ＦＡの概略構成の一例を示す図である。
【図３】本発明の実施の形態１における遮断対象テーブルの一例を示す図である。
【図４】本発明の実施の形態１における遮断作業時の画面状態遷移の一例を示す図である。
【図５】本発明の実施の形態２における遮断対象が遮断対象テーブルにユーザ設定された状態での遮断作業時の画面状態遷移の一例を示す図である。
【発明を実施するための形態】
【００１０】
以下、本発明の実施の形態について、図面を用いて詳細に説明する。
【００１１】
実施の形態１．
図１は、本発明の実施の形態１における火災受信機ＦＡを含む火災報知設備の全体構成の一例を示す図である。図１に示すように、光電式アナログ感知器ＳＥ１１、熱アナログ感知器ＳＥ１２、アドレッサブル発信機ＳＥ１３、地区ベル用中継器Ｂ１１、及び防排煙制御用中継器Ｄ１１が信号線ＳＧを介して火災受信機ＦＡに接続されている。信号線ＳＧを介して接続されている各機器が中位階層の機器（以下、端末機器と呼ぶ）に相当する。
また、地区ベル用中継器Ｂ１１には、複数の地区ベルを接続することができ、地区ベルＢ１１１、地区ベルＢ１１２、地区ベルＢ１１３、及び地区ベルＢ１１４の各機器が、制御回線を介して接続されている。また、防排煙制御用中継器Ｄ１１には、複数の防排煙機器Ｄを接続することができ、防火戸Ｄ１１１、排煙機Ｄ１１２、シャッタＤ１１３、及びたれ壁Ｄ１１４の各機器が、制御回線を介して接続されている。このように、各中継器に接続された各機器が下位階層の機器（以下、被制御機器と呼ぶ）に相当する。
【００１２】
このように、火災受信機ＦＡは、信号線ＳＧを介して、階層構造化された機器と接続されており、端末機器には機器を識別するためのアドレスが付与されている。火災受信機ＦＡは、端末機器とアドレスに基づき通信を行い、端末機器の状態情報を収集している。火災受信機ＦＡは、状態情報に火災状態が含まれているとき、火災の発生を検知し、火災警報するとともに、必要に応じて防火戸等の防排煙機器Ｄを作動させる制御（連動制御）をすることで延焼を防ぐことができる。
なお、光電式アナログ感知器ＳＥ１１、熱アナログ感知器ＳＥ１２、及びアドレッサブル発信機ＳＥ１３を総称して火災感知器と称する。また、防火戸Ｄ１１１、排煙機Ｄ１１２、シャッタＤ１１３、及びたれ壁Ｄ１１４を総称して防排煙機器Ｄと称する。
なお、火災受信機ＦＡに接続される端末機器及び被制御機器の数や種類は、火災報知設備が設置される建物等の物件によって異なるため上記の数や種類（種別）に限定されるものではない。
【００１３】
図２は、本発明の実施の形態１における火災受信機ＦＡの概略構成の一例を示す図である。図２に示すように、火災受信機ＦＡは、制御部２１、送受信部２２、表示部２３、記憶部２４、及び操作部２５を備える。
【００１４】
制御部２１は、例えば、ＣＰＵで形成され、火災受信機ＦＡ全体を統括制御するものである。制御部２１は、例えば、ＯＳ及びアプリケーションプログラム等を実行する。制御部２１は、遮断対象設定部４３及び遮断対象一括処理部４４を備える。
遮断対象設定部４３は、操作部２５からの入力により、後述する遮断対象テーブルに基づき制御信号の遮断対象に設定された端末機器を、後述する遮断データベースに登録する。
遮断対象一括処理部４４は、遮断データベースに登録されている端末機器を、操作部２５からの入力に応じて遮断データベースから削除して、制御信号の遮断対象から解除する。
なお、遮断データベースを形成するデータ構造は特に限定されるものではない。例えば、別途空テーブルが形成され、遮断対象に設定されたものから順にテーブルに登録されていくものであってもよい。また、予め防排煙機器Ｄの一覧表が作成され、その一覧表に遮断対象フラグを追加しておき、遮断対象となったものに遮断対象フラグが設定されてもよい。要するに、遮断対象が判別できればよい。
【００１５】
送受信部２２は、火災受信機ＦＡと接続されている機器と、信号線ＳＧを介して、各種データを送受信するものである。火災受信機ＦＡには、火災報知設備が設置される物件の規模に応じて複数（例えば、系統１〜１２）の送受信部２２が設けられる。
表示部２３は、例えば、液晶ディスプレイで形成され、各種データを表示する出力デバイスである。
【００１６】
記憶部２４は、例えば、ハードディスクやフラッシュメモリ等で形成され、プログラム、各種データ、後述する連動データベース、及び後述する遮断データベース等が格納される。また、記憶部２４は、遮断対象とする複数の端末機器を所定集合として関連づける遮断対象テーブルを格納する。
遮断対象テーブルとしては、端末機器の種別毎の所定集合、端末機器が設置される警戒区域毎（ゾーン毎）の所定集合及び端末機器が火災受信機ＦＡに接続される系統毎の所定集合として関連付けられている。
【００１７】
図３は、本発明の実施の形態１における遮断対象テーブルの一例を示す図である。遮断対象テーブルには、左側からアドレス番号列、系統列、警戒区域列、及び種別列からなる。アドレス番号列には、端末機器のアドレス番号が格納されている。系統列には、アドレス番号の端末機器がどの系統（送受信部２２）に接続されているかが格納されている。警戒区域列には、アドレス番号の端末機器がどの警戒区域に設置されているかが格納されている。警戒区域は、例えば、１階会議室を１つの警戒区域として、その警戒区域の識別番号としてゾーン番号Ｚ１を付与している。種別列には、アドレス番号の端末機器の種類（種別）が格納されている。
【００１８】
なお、遮断対象テーブルは、連動データベースも兼ねている。連動データベースは、光電式アナログ感知器ＳＥ１１等の火災を感知する端末機器と防排煙制御用中継器Ｄ１１等の被制御機器を制御する端末機器とを関連付ける。言い換えると、どのアドレスの端末機器が火災を感知したときに、どのアドレスの端末機器の被制御機器を動作させるかの対応関係が設定されているものである。具体的には、例えば、火災受信機ＦＡがアドレス番号ＡＤ１の光電式アナログ感知器ＳＥ１１で火災を感知すると連動データベースから、アドレス番号ＡＤ１の警戒区域Ｚ１を読み出す。火災受信機ＦＡは、連動データベースから同一警戒区域Ｚ１が格納されているアドレス番号ＡＤ４、ＡＤ８を読み出し、読み出したアドレス番号の地区ベル用中継器及び防排煙制御用中継器（排煙機）にそれぞれが接続されている系統の送受信部２２を介して制御信号を送信して被制御機器を動作させる。
【００１９】
操作部２５は、例えば、タッチパネルにより形成される入力デバイスであり、制御部２１で実行されるプログラムに応じた入力を行う。
【００２０】
図４は、本発明の実施の形態１における遮断作業時の画面状態遷移の一例を示す図である。画面は、表示部２３に制御部２１の制御により表示される。なお、以降の説明において、操作部２５により操作された釦（遮断対象となった釦）は遮断対象となっていない釦と異なる色に表示が変わる。図４においては、遮断対象となった釦を赤色で表示し、それを網掛けで表示するものとし、遮断対象になっていない釦は白色で表示するものとする。
ステップＳ１１のメニュー画面において、レベル２が選択されると、ステップＳ１２へ処理が進む。
ステップＳ１２において、メニュー表示領域１０１には、レベル２に相当するメニュー一覧が表示され、遮断釦が押下されると、ステップＳ１３へ処理が進む。
ステップＳ１３において、種別遮断釦が押下されると、各種別釦による種別毎に端末機器を遮断対象に設定する下位階層のステップＳ１４へ処理が進む。
ステップＳ１３において、警戒区域遮断釦が押下されると、各警戒区域釦による警戒区域毎に端末機器を遮断対象に設定する下位階層のステップＳ１６へ処理が進む。
ステップＳ１３において、系統遮断釦が押下されると、各系統釦による系統毎に端末機器を遮断対象に設定する下位階層のステップＳ１８へ処理が進む。
ステップＳ１４において、各種別釦操作にて、各種別の端末機器を遮断対象に設定して、ステップＳ１５へ処理が進む。
【００２１】
ここで、各種別釦操作による遮断対象の設定の動作を説明する。なお、種別釦として種別１は、光電式アナログ感知器とし、種別６を防排煙制御用中継器（防火戸）とする。遮断対象設定部４３は、操作部２５により種別１釦が操作されると、種別１釦を赤色に表示し、記憶部２４の遮断対象テーブルから種別１である光電式アナログ感知器のアドレス番号ＡＤ１を読み出す。遮断対象設定部４３は、記憶部２４の遮断データベースに種別遮断としてアドレス番号ＡＤ１を登録する。また、同様に種別６釦が操作されると、アドレス番号ＡＤ７が遮断データベースに種別遮断として登録される。ステップＳ１４においては、種別３釦、種別４釦、及び種別７釦も操作されて、その種別の端末機器も遮断対象に設定されている状態である。
【００２２】
ここで、火災受信機ＦＡは、遮断対象として遮断データベースに登録されたアドレス番号の端末機器からの状態情報の処理を行わず、また、そのアドレス番号に対する制御信号を送信しない。具体的には、アドレス番号ＡＤ１の光電式アナログ感知器の火災を感知しても警報を行わず、火災を感知していないとして処理するため、同一警戒区域に設置された被制御機器を動作させる端末機器に対しても制御信号を送信しない。また、アドレス番号ＡＤ２の熱アナログ感知器が火災を感知するとアドレス番号ＡＤ２は遮断対象ではないため警報を行い、同一警戒区域Ｚ２であるアドレス番号ＡＤ５の地区ベル用中継器及びアドレス番号ＡＤ１０の防排煙制御用中継器（たれ壁）には、被制御機器を作動させる制御命令を送信するが、種別６釦の操作によって遮断対象となっているアドレス番号ＡＤ７の防排煙制御用中継器（防火戸）には制御信号を送信しない。以下における各種別以外による遮断対象の設定においても、遮断対象となった端末機器に対する火災受信機ＦＡの動作は同様である。
【００２３】
ステップＳ１５において、「Ａｌｌ  Ｃａｎｃｅｌ」釦が押下されると、遮断対象一括処理部４４は、全ての種別釦を白色で表示し、種別遮断として遮断対象に設定されている全ての端末機器を遮断データベースから削除する。そして、ステップＳ１４に戻り、終了釦が押下されると、処理は終了する。なお、ステップＳ１５において、遮断対象に設定されている各種別釦を操作すると、遮断対象設定部４３は、操作された種別釦を白色に戻すと共に遮断対象テーブルに基づき、操作された種別ボタンの種別に関連付けられたアドレス番号を遮断データベースから削除し、そのアドレス番号の端末機器のみが遮断対象から解除される。
ステップＳ１６において、各警戒区域釦操作にて、各警戒区域の端末機器を遮断対象に設定して、ステップＳ１７へ処理が進む。
ここで、各警戒区域釦操作による遮断対象の設定の動作を説明する。遮断対象設定部４３は、操作部２５により警戒区域３釦が操作されると、警戒区域３釦を赤色に表示し、記憶部２４の遮断対象テーブルから警戒区域Ｚ３であるアドレス番号ＡＤ３、アドレス番号ＡＤ６、及びアドレス番号ＡＤ９を読み出す。遮断対象設定部４３は、記憶部２４の遮断データベースに警戒区域遮断としてアドレス番号ＡＤ３、アドレス番号ＡＤ６、及びアドレス番号ＡＤ９を登録する。ステップＳ１６においては、警戒区域Ｚ５及び警戒区域Ｚ７も操作されて、その警戒区域の端末機器も遮断対象に設定されている状態である。
【００２４】
ステップＳ１７において、「Ａｌｌ  Ｃａｎｃｅｌ」釦が押下されると、遮断対象一括処理部４４は、全ての警戒区域釦を白色で表示し、警戒区域遮断として遮断対象に設定されている全ての端末機器を遮断データベースから削除する。そして、ステップＳ１６に戻り、終了釦が押下されると、処理は終了する。なお、ステップＳ１７において、遮断対象に設定されている各警戒区域釦を操作したときには、各種別釦と同様にその釦の警戒区域に関連した端末機器のみ遮断対象から解除される。
ステップＳ１８において、各系統釦操作にて、各系統に接続される端末機器を遮断対象に設定して、ステップＳ１９へ処理が進む。
【００２５】
ここで、各系統釦操作による遮断対象の設定の動作を説明する。遮断対象設定部４３は、操作部２５により系統１釦が操作されると、系統１釦を赤色に表示し、記憶部２４の遮断対象テーブルから系統１であるアドレス番号ＡＤ１、アドレス番号ＡＤ２、及びアドレス番号ＡＤ７を読み出す。遮断対象設定部４３は、記憶部２４の遮断データベースに系統遮断としてアドレス番号ＡＤ１、アドレス番号ＡＤ２、及びアドレス番号ＡＤ７を登録する。ステップＳ１８においては、系統４釦、系統６釦、及び系統８釦も操作されて、その系統の端末機器も遮断対象に設定されている状態である。
【００２６】
ステップＳ１９において、「Ａｌｌ  Ｃａｎｃｅｌ」釦が押下されると、遮断対象一括処理部４４は、全ての系統釦を白色で表示し、系統遮断として遮断対象に設定されている全ての端末機器を遮断データベースから削除して、ステップＳ１８に戻り、終了釦が押下されると、処理は終了する。なお、ステップＳ１９において、遮断対象に設定されている各系統釦を操作したときには、各種別釦と同様にその釦の系統に関連した端末機器のみ遮断対象から解除される。
【００２７】
各ステップにおいて、終了釦が押下されると、ステップＳ２０又はステップＳ１３に戻る。ステップＳ２０は、種別遮断、警戒区域遮断、及び系統遮断の全てが設定された場合の表示の一例を示すものである。ステップＳ２０において、種別遮断されている種別が１つでもあるときには種別遮断釦が赤く表示され、警戒区域遮断されている警戒区域が１つでもあるときには、警戒区域遮断釦が赤く表示され、系統遮断されている系統が１つでもあるときには系統釦が赤く表示される。
【００２８】
ステップＳ２０において、「Ａｌｌ  Ｃａｎｃｅｌ」釦が押下されると、遮断対象一括処理部４４は、赤く表示されている全ての釦を白色に表示し、遮断データベースに登録されている全ての端末機器は、遮断対象から解除される。また、各種別釦等の下位階層の釦は赤色から白色に表示が変わる。
このように、端末機器の遮断状態の解除作業時、各種別や各警戒区域等の所定集合ごとに設定した遮断をまとめて解除することができ、作業者に効率よく作業させることができる。
【００２９】
なお、上記で説明した表示例は一例を示すものであり、特にこれに限定するものではない。
また、上記の説明では、タッチパネルによる一例について説明したが、特にこれに限定するものではなく、押しボタンで実現されてもよい。
また、上記の説明では、連動データベースと、遮断データベースとが別々に形成される一例について説明したが、一つに統合されたデータベースであってもよい。要するに、遮断対象となる端末機器が判別できればよい。
【００３０】
以上のように、本実施の形態１において、火災感知器と、該火災感知器の火災発報に連動して動作する複数の端末機器とが接続され、火災感知器と、端末機器との対応関係が登録されている連動データベースと、連動データベースに基づき、端末機器に制御信号を出力する送受信部２２と、複数の端末機器に対し、制御信号の出力を遮断する遮断対象となる端末機器が登録されている遮断データベースと、遮断対象を表示する表示部２３と、表示部２３で表示された遮断対象を操作する操作部２５と、制御信号の出力の遮断を制御する制御部２１とを備えた火災受信機であって、制御部２１は、複数の端末機器の中から、遮断対象を遮断データベースに登録する遮断対象設定部４３と、遮断データベースに設定された遮断対象を一括して解除する遮断対象一括処理部４４とを備え、遮断対象一括処理部４４は、操作部２５によって遮断対象を解除する操作が入力されたとき、遮断データベースに登録されている遮断対象を削除し、該遮断対象を解除することにより、端末機器の遮断状態の解除作業時、各種別や各警戒区域等の所定集合ごとに設定した遮断をまとめて解除することができ、作業者に効率よく作業させることができる。これにより、作業者の遮断状態の解除作業時間が軽減し、火災受信機の効率的な運用を行うことができる。
【００３１】
実施の形態２．
実施の形態１との相違点は、複数の遮断対象を予めグルーピングしておく機能が設けられた点である。
なお、本実施の形態２において、特に記述しない項目については実施の形態１と同様とし、同一の機能や構成については同一の符号を用いて述べることとする。また、実施の形態１と同一の機能や構成についての説明は省略する。
【００３２】
図５は、本発明の実施の形態２における遮断対象が遮断対象テーブルにユーザ設定された状態での遮断作業時の画面状態遷移の一例を示す図である。
ステップＳ４１において、レベル２が選択されると、ステップＳ４２へ処理が進む。
ステップＳ４２において、メニュー表示領域１０１には、レベル２に相当するメニュー一覧が表示され、遮断釦が押下されると、ステップＳ４３へ処理が進む。
ステップＳ４３において、「Ｍｙ  Ｆａｖｏｒｉｔｅｓ」釦が押下されると、ステップＳ４４へ処理が進む。
ステップＳ４４において、再び「Ｍｙ  Ｆａｖｏｒｉｔｅｓ」釦が押下されると、ステップＳ４３へ処理が戻る。
つまり、「Ｍｙ  Ｆａｖｏｒｉｔｅｓ」釦により、作業者が任意に複数の遮断対象から任意の遮断対象を選択することができ、選択された遮断対象を一括で解除することができる。
このように、ある特定の遮断対象に対して一括で遮断状態を解除することができる。なお、上記で説明した表示例は一例を示すものであり、特にこれに限定するものではない。
【００３３】
以上のように、ある特定の遮断対象に対して一括で遮断状態を解除することができる。これにより、より目的に沿った火災受信機の運用を行うことができる。
【符号の説明】
【００３４】
１０  火災受信機、２１  制御部、２２  送受信部、２３  表示部、２４  記憶部、２５  操作部、４３  遮断対象設定部、４４  遮断対象一括処理部、１０１  メニュー表示領域。
【図１】
2014016682.tif 000003
【図２】
2014016682.tif 000004
【図３】
2014016682.tif 000005
【図４】
2014016682.tif 000006
【図５】
2014016682.tif 000007